【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
ホストの血糖状況に関連する状態間を遷移する方法であって、
連続グルコースセンサからのセンサデータを評価し、低血糖状況又は高血糖状況に関連する１つ又は複数のアクティブな遷移基準を満たす前記センサデータに基づいてアラート状態をアクティブ化するステップと、
アクティブな前記アラート状態に関連し、前記低血糖状況又は前記高血糖状況を示す出力を提供するステップと、
前記アラート状態へのユーザ確認応答又は正常血糖に向かう前記ホストのグルコーストレンディングを示すデータのうちの少なくとも一方に応答して、所定の期間の間に前記アクティブな状態から確認応答済み状態に遷移するステップと、
前記確認応答済み状態の期間の間に、前記ホストの低血糖又は高血糖状況に関連するデータをアクティブにモニターするステップと、
インスリンデータ及び／又は食事情報を受信したことに応答して、前記確認応答済み状態から非アクティブな状態に遷移するステップと
を有する、方法。
【請求項２】
前記アクティブな状態から確認応答済み状態に遷移する前記ステップが、正常血糖に向かう前記ホストのグルコーストレンディングを示す前記データに基づいて、前記アクティブな状態から前記確認応答済み状態に遷移するステップを含み、
前記データは、ａ）グルコーストレンドの変化を示すセンサデータと、ｂ）血糖状況の補正に関連するインスリン情報とからなるグループから選択される、請求項１に記載の方法。
【請求項３】
前記アクティブな状態から確認応答済み状態に遷移する前記ステップが、前記ユーザ確認応答に基づいて、前記アクティブな状態から前記確認応答済み状態に遷移するステップを含み、
前記データは、ａ）ユーザインタフェース上での前記アラート状態へのユーザ確認応答と、ｂ）ユーザ入力インスリン情報と、ｃ）ユーザ入力食事情報とからなるグループから選択される、請求項１に記載の方法。
【請求項４】
アクティブにモニターする前記ステップが、前記センサデータ、センサ診断情報、食事情報、インスリン情報、又はイベント情報のうちの少なくとも１つをモニターするステップを含む、請求項１に記載の方法。
【請求項５】
前記確認応答済み状態から遷移する前記ステップが、低血糖状況又は高血糖状況が満たされることに関連する前記１つ又は複数のアクティブな遷移基準に基づいて、かつ所定の期間の満了に基づいて、前記確認応答済み状態から前記アクティブな状態に遷移するステップを更に含む、請求項１に記載の方法。
【請求項６】
前記アラート状態への前記ユーザ確認応答を受信し、正常血糖に向かう前記ホストのグルコーストレンディングをデータが示すと判定した後、アクティブにモニターする期間中に、正常血糖から外れる前記ホストのグルコーストレンディングに基づいて、前記確認応答済み状態から前記アクティブな状態に遷移するステップを更に含む、請求項１に記載の方法。
【請求項７】
状態遷移に関連する情報を選択的に出力するステップを更に含む、請求項１に記載の方法。
【請求項８】
前記アクティブな状態への遷移に関連する前記出力は、前記確認応答済み状態から前記非アクティブな状態への遷移に関連する前記出力と異なる、請求項７に記載の方法。
【請求項９】
データを処理するためのシステムであって、
身体内に埋め込まれるように構成された連続検体センサと、
前記センサによって出力されるセンサデータを受信して処理するように構成されたセンサエレクトロニクスと
を具備し、
前記センサエレクトロニクスは、プロセッサを具備し、
前記プロセッサは、
連続グルコースセンサからのセンサデータを評価し、低血糖状況又は高血糖状況に関連する１つ又は複数のアクティブな遷移基準を満たす前記センサデータに基づいてアラート状態をアクティブ化する手順と、
アクティブな前記アラート状態に関連し、前記低血糖状況又は前記高血糖状況を示す出力を提供する手順と、
前記アラート状態へのユーザ確認応答又は正常血糖に向かうホストのグルコーストレンディングを示すデータのうちの少なくとも一方に応答して、所定の期間の間に前記アクティブな状態から確認応答済み状態に遷移する手順と、
前記確認応答済み状態の期間の間に、前記ホストの低血糖又は高血糖状況に関連するデータをアクティブにモニターする手順と、
受信したインスリンデータ及び／又は食事情報に基づいて、前記確認応答済み状態から非アクティブな状態に遷移する手順と
を実行するように構成される、システム。
【請求項１０】
前記アクティブな状態から確認応答済み状態に遷移する前記手順が、正常血糖に向かう前記ホストのグルコーストレンディングを示す前記データに基づいて、前記アクティブな状態から前記確認応答済み状態に遷移する手順を含み、
前記データは、ａ）グルコーストレンドの変化を示すセンサデータと、ｂ）血糖状況の補正に関連するインスリン情報とからなるグループから選択される、請求項９に記載のシステム。
【請求項１１】
前記アクティブな状態から確認応答済み状態に遷移する前記手順が、前記ユーザ確認応答に基づいて、前記アクティブな状態から前記確認応答済み状態に遷移する手順を含み、
前記データは、ａ）ユーザインタフェース上での前記アラート状態へのユーザ確認応答と、ｂ）ユーザ入力インスリン情報と、ｃ）ユーザ入力食事情報とからなるグループから選択される、請求項９に記載のシステム。
【請求項１２】
アクティブにモニターする前記手順が、前記センサデータ、センサ診断情報、食事情報、インスリン情報、又はイベント情報のうちの少なくとも１つをモニターする手順を含む、請求項９に記載のシステム。
【請求項１３】
前記確認応答済み状態から遷移する前記手順が、低血糖状況又は高血糖状況が満たされることに関連する前記１つ又は複数のアクティブな遷移基準に基づいて、かつ所定の期間の満了に基づいて、前記確認応答済み状態から前記アクティブな状態に遷移する手順を含む、請求項９に記載のシステム。
【請求項１４】
前記プロセッサが、
前記アラート状態への前記ユーザ確認応答を受信し、正常血糖に向かう前記ホストのグルコーストレンディングをデータが示すと判定したことに応答して、アクティブにモニターする期間中に、正常血糖から外れる前記ホストのグルコーストレンディングに基づいて、前記確認応答済み状態から前記アクティブな状態に遷移する手順を実行するように更に構成される、請求項９に記載のシステム。
【請求項１５】
前記プロセッサが、
状態遷移に関連する情報を選択的に出力する手順を実行するように更に構成される、請求項９に記載のシステム。
【請求項１６】
前記アクティブな状態への遷移に関連する前記出力は、前記確認応答済み状態から前記非アクティブな状態への遷移に関連する前記出力と異なる、請求項１５に記載のシステム。
【請求項１７】
低血糖又は高血糖状況にリバウンドしたことを識別してユーザに注意喚起する方法であって、
センサデータを受信するステップと、
低血糖又は高血糖状況が満たされることに関連する１つ又は複数のアクティブ化基準を前記センサデータが満たすことに応答して、アラート状態を最初にアクティブ化するステップと、
正常血糖に向かうホストのグルコーストレンディングを示す１つ又は複数の回復サブ状態基準を前記センサデータが満たすことに応答して、所定のアクティブなモニタリング期間の間に回復サブ状態に遷移するステップと、
前記所定のアクティブなモニタリング期間中に、前記ホストの低血糖又は高血糖状況に関連する前記センサデータを、プロセッサモジュールによってアクティブにモニターするステップと、
前記回復サブ状態での前記所定のアクティブなモニタリング期間中に、正常血糖値から外れる前記ホストのグルコーストレンディングを示す１つ又は複数の再アクティブ化基準を前記センサデータが満たすことに応答して、最初にアクティブ化された前記アラート状態に遷移し直すステップと
を有し、
前記１つ又は複数の再アクティブ化基準は、前記１つ又は複数のアクティブ化基準と異なる、方法。
【請求項１８】
最初にアクティブ化することに関連する第１の出力を提供するステップと、
元の状態に遷移し直すことに関連する第２の出力を提供するステップと
を更に含む、請求項１７に記載の方法。
【請求項１９】
前記第１の出力と前記第２の出力とが異なる、請求項１８に記載の方法。
【請求項２０】
データを処理するためのシステムであって、
身体内に埋め込まれて、ホストのグルコースレベルを示すセンサデータを提供するように構成された連続検体センサと、
前記センサによって出力されるセンサデータを受信して処理するように構成されたセンサエレクトロニクスと
を具備し、
前記センサエレクトロニクスは、プロセッサを具備し、
前記プロセッサは、
低血糖又は高血糖状況が満たされることに関連する１つ又は複数のアクティブ化基準を前記センサデータが満たすこと応答して、アラート状態を最初にアクティブ化する手順と、
正常血糖に向かうホストのグルコーストレンディングを示す１つ又は複数の回復サブ状態基準を前記センサデータが満たすことに応答して、所定のアクティブなモニタリング期間の間に回復サブ状態に遷移する手順と、
前記所定のアクティブなモニタリング期間中に、前記ホストの低血糖又は高血糖状況に関連する前記センサデータをアクティブにモニターする手順と、
前記回復サブ状態での前記所定のアクティブなモニタリング期間中に、正常血糖値から外れる前記ホストのグルコーストレンディングを示す１つ又は複数の再アクティブ化基準を前記センサデータが満たすことに応答して、最初にアクティブ化された前記アラート状態に遷移し直す手順と
を実行するように構成され、
前記１つ又は複数の再アクティブ化基準は、前記１つ又は複数のアクティブ化基準と異なる、システム。
【請求項２１】
前記プロセッサが、
最初にアクティブ化することに関連する第１の出力を提供する手順と、
元の状態に遷移し直すことに関連する第２の出力を提供する手順と
を実行するように更に構成される、請求項２０に記載のシステム。
【請求項２２】
前記第１の出力と前記第２の出力とが異なる、請求項２１に記載のシステム。